(57)【要約】【課題】配管上の建設物に加える改変をできるだけ抑える信頼性の高い配管補修方法を提供する。【手段】地中に埋設され、少なくとも一部が一方向に伸びた配管に対して補修を行う配管補修方法であって、地表から縦穴を形成しつつ配管の一部を露出させるステップ、露出した配管の一部に沿って配管周囲の土を除去しつつ横穴を形成し、配管周囲の土を前記縦穴から除去するとともに、横穴内の少なくとも一箇所から地表への貫通孔を形成するステップ、配管の補修を行うステップ、横穴、貫通孔及び縦穴に充填材を充填して前記配管を再埋設するステップと、を備える配管補修方法とする。【選択図】図１０
2018035861.tif 000002
【特許請求の範囲】
【請求項１】
地中に埋設され、少なくとも一部が一方向に伸びた配管に対して補修を行う配管補修方法であって、
地表から縦穴を形成しつつ前記配管の一部を露出させるステップ、
前記露出した配管の一部に沿って配管周囲の土を除去しつつ横穴を形成し、前記配管周囲の土を前記縦穴から除去するとともに、前記横穴内の少なくとも一箇所から地表への貫通孔を形成するステップ、
前記配管の補修を行うステップ、
前記横穴、前記貫通孔及び前記縦穴に充填材を充填して前記配管を再埋設するステップと、を備える配管補修方法。
【請求項２】
前記充填材は流動化処理土である請求項１記載の配管補修方法。
【請求項３】
前記配管を再埋設するステップは、ホースを前記横穴奥部に導入し、前記奥部から前記充填材を充填していく請求項１記載の配管補修方法。
【発明の詳細な説明】
【技術分野】
【０００１】
本発明は、配管補修方法に関する。
【背景技術】
【０００２】
一般に、建物内には、水道やガス等生活に必要な物質を供給するため、生活排水等を建物外部に排出するための配管が張り巡らされており、その一部は床や壁等のコンクリート等強固な材質に埋められている。一方で、水等を供給する水道の配管は水源から集合して供給された後、屋内の必要な箇所に枝分かれしている。また、生活排水等の配管も、屋内又は屋外において集合した後、さらに集合して処理施設まで延伸している。
【０００３】
配管は定期的な補修が必要であり、屋内の配管補修方法としては、例えば下記特許文献１に記載がある。
【先行技術文献】
【特許文献】
【０００４】
【特許文献１】特許第５２３５０９３号公報
【発明の概要】
【発明が解決しようとする課題】
【０００５】
しかしながら、上記特許文献に記載の技術は一方から強力に吸引するとともに一方から工具を挿入するといった構成を前提としており、建物の地下に埋設された配管を修復することは困難を極める。具体的には、地中に埋められる配管の径は比較的大きく、この方法をそのまま使用することができない。また、一般に、配管の上には建物が建設されており、この建物を一部除去又は改変することは居住者に多大な負担を強い、配管補修の前提を覆すことになる。
【０００６】
そこで、本発明は、上記課題に鑑み、配管上の建設物に加える改変をできるだけ抑える信頼性の高い配管補修方法を提供することを目的とする。
【課題を解決するための手段】
【０００７】
上記課題を解決する本発明の一観点に係る配管補修方法は、地中に埋設され、少なくとも一部が一方向に伸びた配管に対して補修を行う配管補修方法であって、地表から縦穴を形成しつつ前記配管の一部を露出させるステップ、露出した配管の一部に沿って配管周囲の土を除去しつつ横穴を形成し、配管周囲の土を縦穴から除去するとともに、横穴内の少なくとも一箇所から地表への貫通孔を形成するステップ、配管の補修を行うステップ、横穴、貫通孔及び縦穴に充填材を充填して配管を再埋設するステップと、を備える。
【発明の効果】
【０００８】
以上、本発明によって、配管上の建設物に加える改変をできるだけ抑える信頼性の高い配管補修方法を提供することができる。
【図面の簡単な説明】
【０００９】
【図１】本実施形態に係る方法の一ステップを説明するための図である。
【図２】本実施形態に係る方法の一ステップを説明するための図である。
【図３】本実施形態に係る方法の一ステップを説明するための図である。
【図４】本実施形態に係る方法の一ステップを説明するための図である。
【図５】本実施形態に係る方法の一ステップを説明するための図である。
【図６】本実施形態に係る方法の一ステップを説明するための図である。
【図７】本実施形態に係る方法の一ステップを説明するための図である。
【図８】本実施形態に係る方法の一ステップを説明するための図である。
【図９】本実施形態に係る方法の一ステップを説明するための図である。
【図１０】本実施形態に係る方法の一ステップを説明するための図である。
【発明を実施するための最良の形態】
【００１０】
以下、本発明の実施形態について図面を用いて詳細に説明する。ただし、本発明は多くの異なる形態による実施が可能であり、以下に示す実施形態の例示にのみ限定されるわけではない。
【００１１】
本実施形態に係る配管補修方法（以下「本方法」という。）は、具体的には、地中に埋設され、少なくとも一部が一方向に伸びた配管に対して補修を行う配管補修方法であって、（Ｓ１）地表から縦穴を形成しつつ配管の一部を露出させるステップ、（Ｓ２）露出した配管の一部に沿って配管周囲の土を除去しつつ横穴を形成し、配管周囲の土を縦穴から除去するとともに、横穴内の少なくとも一箇所から地表への貫通孔を形成するステップ、（Ｓ３）配管の補修を行うステップ、（Ｓ４）横穴、前記貫通孔及び前記縦穴に充填材を充填して前記配管を再埋設するステップと、を備える。
【００１２】
本方法は、このように、配管に対して一部から縦穴を掘り、そこから配管に沿って横穴を堀り、配管を補修した後、充填材でこの穴を十分に埋めることで、この上に形成される建物に対する改変をできるだけ抑えることができる。特に、細かなところは後述するが、本方法では横穴におおいて貫通孔を形成しておくことにより、充填材の充填ミスを防ぐ工夫がなされており、空洞を残してしまうおそれを格段に低く抑えている。
【００１３】
まず、本方法では、（Ｓ１）地表から縦穴を形成しつつ配管の一部を露出させるステップを備える（図１参照）。
【００１４】
本ステップでは、まず配管を露出させて、補修対象となる配管を確認することができる。この作業は手作業で行ってもよいが、一般的な掘削機械を使用してもよい。
【００１５】
本ステップにおいて、縦穴を形成する位置は、限定されるわけではないが、建物外の敷地内において行われることが好ましい。このようにすることで、建物に対する影響をできる限り抑えることが可能となるとともに、充填材を充填させる準備のための空間を確保しやすくなり、結果充填剤を効率的に充填させることができるようになる。また、本ステップでは、配管の下流方向（配管が建物から遠ざかる方向）から作業を行うことが配管を発見しやすいため好ましい。
【００１６】
穴の形状としては、作業員が穴に入ることができる限りにおいて限定されず、例えば円形状、四角形等の多角形状であってもよく、また不定形であってもよい。また、この穴の大きさとしても、上記と同様、作業員が穴に入ることができる限りにおいて特に制限はなく、例えば穴が円形状である場合はその直径が、またその穴が多角形状である場合はその最も短い対角線が５０ｃｍ以上、より好ましくは１００ｃｍ程度の大きさであることが好ましい。一方で、穴が広すぎることも好ましくなく、穴の形状が円形状である場合はその直径が、穴の形状が多角形状である場合は最も長い対角線が３００ｃｍ以下程度であることが好ましい。
【００１７】
次に、本方法では、（Ｓ２）露出した配管の一部に沿って配管周囲の土を除去しつつ横穴を形成し、配管周囲の土を前記縦穴から除去するとともに、横穴内の少なくとも一箇所から地表への貫通孔を形成するステップを備える（図２参照）。
【００１８】
すなわち、縦穴を掘り配管を確認した後に、本ステップでは、この配管に沿って周囲の土を除去し、作業員が補修するための空間を確保する。そして、この場合において、横穴を掘り進めることで、地表に存在する建物などへの影響はできるだけ少なくすることができる。なお、この場合において、配管がコンクリート等の縦壁を貫通しているような場合は、この縦壁の一部を通路用穴として取り除くことが必要となるが、強度の観点から最小限に抑えておくことが好ましい。また、配管を全体として取り換える場合、この配管周囲の縦壁全体を取り除いてもよい。さらに、横穴において、一般に建設物の土台はコンクリート等の堅い部材で形成されているため、建設物下の横穴上の土はすべて取り除いてもよい。このようにすることで作業中に土が落ちてくる虞を防止することができる（例えば図３参照）。
【００１９】
また、本ステップでは、横穴の天井は、延伸方向において天井が傾いて形成されていること、または徐々に高さの異なる段差が設けられていることが好ましい。このようにすることで、後の工程で土を充填した場合に、空気がこの傾きに沿って排出されることとなる。特に、複数の縦壁により建設物の地下が区分けされている場合、縦壁により区切られた領域ごとに天井の高さを異ならせてもよい。この場合の例を、例えば図４に示しておく。このようにしておくことで、上記と同様、後の工程で土を充填した場合に、空気が段差に従って排出されることとなる。
【００２０】
また、本ステップでは、横穴内の少なくとも一箇所から地表への貫通孔を形成する（図５参照）。これは、補修後充填される充填材がきちんと地中に充填されているのかを確認するとともに、横穴の天上付近に空気が残ってしまい強度が低下してしまうことを防止するために必要な工程である。特に、配管がコンクリート等非常に機密性の高い建材の下に配置されている場合であって、しかもコンクリート等の縦壁を貫通して配置されているような場合は、この縦壁によって区切られた領域の天井付近が空洞になってしまう虞のある空間（閉じた空間）があるため、この閉じた空間毎に貫通孔を設けておくことで、後述の充填材を充填した場合であっても閉じた空間となってしまわないようにすることができるため好ましい。また、少なくとも２箇所の穴又は貫通孔を形成するため作業中における酸欠を防止するための必要な措置としても好ましい。
【００２１】
貫通孔の数は特に限定されるわけではないが、縦穴から横穴の先端位置の中間に少なくとも一箇所設けておくことが好ましく、より好ましくは横穴の先端位置にも設けておくことが好ましい。
【００２２】
また、貫通孔の径は、特に限定されるわけではないが、５ｃｍ以上あれば十分である一方、大きすぎる場合、その孔の面積を確保することが難しい場合もあるため、１００ｃｍ以下であることが好ましく、より好ましくは２０ｃｍ以下である。
【００２３】
また本ステップ又は後述の配管を再埋設するステップの前において、横穴を形成していく場合に、途中に堰部を設けておいてもよい。堰部を設けておくことで、充填材を充填していく際、空隙を形成しにくくすることができる。
【００２４】
また本ステップ又は後述の配管を再埋設するステップの前において、横穴を形成していく過程で、複数に区分けされその少なくとも一つに上部に閉じた空間が存在している場合、この閉じた空間の壁の上部の少なくとも一部を取り除き又は横向きの貫通孔を形成し、隣接する空間と天井近傍において接続し、閉じた空間をなくしておくことが好ましい。このようにすることで、天井近傍においてこの閉じた空間をなくすことができ、充填材を十分に充填させることができるようになる。この場合のイメージを図６に示しておく。
【００２５】
また、本ステップでは、（Ｓ３）配管の補修を行うステップを備える。この配管の補修を行うことで、本来の目的を達成することができる。
【００２６】
配管の補修方法としては、特に限定されないが、補修対象箇所を確認した後、この補修対象箇所の配管部分を切断し、新しい配管部材又は補修を行った後、改めてこの配管部材又は補修した配管部分を戻し、溶接等によって接続する。この場合のイメージを図７に示しておく。
【００２７】
また、本ステップにおいて、補修は横穴によって露出した配管全体に対して行ってもよい。例えば配管の外側を改めて塗装しなおすことも好ましい補修の一形態である。
【００２８】
また、本方法では、最後に、（Ｓ４）横穴、貫通孔及び縦穴に充填材を充填して配管を再埋設するステップを備える。これにより、再び埋設し、元通りとすることが可能となる。この場合のイメージを図８乃至１０に示しておく。
【００２９】
本ステップにおける充填材としては、特に限定されるわけではないが、横穴、貫通孔、縦穴に対し充填が可能である程度の流動性を備えたものであることが好ましい一方、孔を形成する以前程度の強度を確保することができるものであることが好ましく、具体的には、流動化処理土を用いることが好ましい。流動化処理土は、土に水及びセメント等の固化剤を混ぜた土である。
【００３０】
また本ステップにおいて、再埋設はホースを横穴に導入し、充填材を充填していくように充填していくことが好ましい。ただし、ホースは縦穴内部にのみ導入することとしてももちろん良い（図９参照）。
【００３１】
ところで、この場合において、貫通孔は非常に重要な意味を有する。具体的に説明すると、充填材を充填している際、作業員が充填状況を確認することが可能であるとしても、その充填が十分に行われているのか、空隙が残っていないかを確認することは容易ではない。そこで、本方法では、貫通孔を横穴の中間に少なくとも一箇所設けているため、充填材の充填が十分に行われているのであれば、この貫通孔から充填材があふれ出ることになる。すなわちこの充填材があふれ出たことを確認することで、この孔より先端側の横穴には十分に充填材が充填されたということを確認することができる。そして、このあふれ出たことを確認した後、作業員はこの孔に板等の抑え部材を配置し、これ以上充填材があふれ出ることを防ぎ、これ以後の充填を効率的に行うことができる。
【００３２】
特に、上記したように、配管がコンクリート等非常に気密性の高い建材の下に配置されている場合であって、しかもコンクリート等の壁を貫通して配置されているような場合は、この部分における天井付近が空洞になってしまう虞があるため、横穴の配管上に空洞になる可能性のある空間（ここでは「閉じた空間」という。）毎に貫通孔を設けておくことが好ましい。このようにすることで、この閉じた空間にも十分充填材を満たすことができる。
【００３３】
なおここで上記のように、本ステップに先立ち、横穴の途中に堰部を設けておいてもよい。堰部を設けておくことで、横穴の先端側から充填材を充填していく場合、空隙を形成しにくくすることができる。この堰部としては、単に仕切り板１枚を立てておくことでもよいが、充填材が十分に充填された場合に、その圧力で破壊される程度の薄板を配置しておくこととしてもよい。また、この堰部は、貫通孔の近傍に配置されていることも好ましい。堰部によって区切られた区間における充填が十分になされているかをその区切られた区間に貫通孔を対応して設けることで、この充填状況を確認することができる。
【００３４】
そして、縦穴部分まで十分に充填材を充填し、本補修方法は完了する。
【００３５】
以上、本発明によって、配管上の建設物に加える改変をできるだけ抑える信頼性の高い配管補修方法を提供することができる。
【図１】
2018035861.tif 000003
【図２】
2018035861.tif 000004
【図３】
2018035861.tif 000005
【図４】
2018035861.tif 000006
【図５】
2018035861.tif 000007
【図６】
2018035861.tif 000008
【図７】
2018035861.tif 000009
【図８】
2018035861.tif 000010
【図９】
2018035861.tif 000011
【図１０】
2018035861.tif 000012